(57)【要約】【課題】全光ネットワークにおける波長ごとの品質管理や障害切り分けの機能を経済的に実現可能にすること。【解決手段】光カプラ2,3は、全光ネットワークよりWDM光信号をタップし、モニタ波長選択スイッチ4は、タップされたWDM光信号からモニタ対象の１波長の光信号を選択する。品質モニタ装置6は、モニタ波長選択スイッチ4により選択された光信号における品質監視ビットをモニタする。監視制御装置7は、モニタ対象の１波長を指示するコマンドを波長選択スイッチ4に送出し、また、品質モニタ装置6からの品質情報を管理する。品質モニタ装置6は、光信号の伝送速度に応じて異なる複数のモニタモジュール6-1,6-2,6-3を有する。【選択図】図１
2008166935.tif 000002
【特許請求の範囲】
【請求項１】
全光ネットワークよりＷＤＭ光信号をタップする光カプラと、
前記光カプラによりタップされたＷＤＭ光信号からモニタ対象の１波長の光信号を選択するモニタ波長選択手段と、
前記モニタ波長選択手段により選択された光信号における品質監視ビットをモニタするモニタ手段と、
モニタ対象の１波長を指示するコマンドを前記波長選択手段に送出する監視制御手段を備えたことを特徴とする全光ネットワーク品質監視装置。
【請求項２】
前記モニタ手段は、光信号の伝送速度に応じて異なる複数のモニタモジュールを有し、前記モニタ波長選択手段が選択した光信号を前記複数のモニタモジュールの全てにブロードキャストする光カプラをさらに備え、前記監視制御手段は、前記モニタ波長選択手段が選択した光信号の伝送速度に対応するモニタモジュールだけを機能させることを特徴とする請求項１に記載の全光ネットワーク品質監視装置。
【請求項３】
前記監視制御手段は、周期的にあるいはユーザ操作に基づいて、モニタ対象の１波長を指示するコマンドを前記波長選択手段に送出することを特徴とする請求項１または２に記載の全光ネットワーク品質監視装置。
【請求項４】
前記監視制御手段は、全光ネットワークで障害が検知されたときに、障害となった波長をモニタ対象の１波長として指示するコマンドを前記波長選択手段に送出することを特徴とする請求項１または２に記載の全光ネットワーク品質監視装置。
【発明の詳細な説明】
【技術分野】
【０００１】
本発明は、全光ネットワーク品質監視装置に関し、特に、全光ネットワークの品質を監視して運用管理性を向上させることができる全光ネットワーク品質監視装置に関する。
【背景技術】
【０００２】
全光(all-optical)ネットワークでは、光パスの経路を電気的な処理を介さずに光のまま切り替えることが可能となり、従来の電気的処理を介して経路切替を行っていた光ネットワークに比べて、消費電力や装置設置スペースの大幅な削減を実現できる。
【０００３】
従来、光ネットワーク上において、ビットレートが異なる光信号をWDM(波長分割多重)し、相手先まで伝送する方式が存在する。例えば、OTN(optical transport network)では、SDH/SONETのネットワークから受ける光信号(ビットレート：155Mbps〜2.85Gbps、9.953Gbps、39.9Gbps)をITU-T G.709で規格化されているOTNのペイロード部分に各々挿入し、その各光信号をWDMして伝送路に送出することが規定されている。また、光スイッチングノード間に電気的処理(OEO)を行うWDM装置を配置し、光ネットワークを運用管理する方式も存在する。
【発明の開示】
【発明が解決しようとする課題】
【０００４】
しかしながら、全光ネットワークでは、光パスの経路を切り替える光スイッチングノードにおいて、デジタル的な電気的処理(OEO)を介さず経路切り替えを行うため、ノード間の品質管理やネットワーク内の障害切り分けを行うことができず、運用管理性が乏しいという課題がある。
【０００５】
光スイッチングノードにモニタポートを設け、WDM光信号を各波長ごとに分離し、各々の波長に対してOEで構成された品質監視装置を設置して、信号品質をモニタすることも考えられるが、これでは多くの品質監視装置を必要とし、消費電力や装置設置スペースの点で課題がある。
【０００６】
本発明の目的は、上記課題を解決し、全光ネットワークにおける波長ごとの品質管理や障害切り分けの機能を経済的に実現できる全光ネットワーク品質監視装置を提供することにある。
【課題を解決するための手段】
【０００７】
上記課題を解決するために、本発明は、全光ネットワークよりＷＤＭ光信号をタップする光カプラと、前記光カプラによりタップされたＷＤＭ光信号からモニタ対象の１波長の光信号を選択するモニタ波長選択手段と、前記モニタ波長選択手段により選択された光信号における品質監視ビットをモニタするモニタ手段と、モニタ対象の１波長を指示するコマンドを前記波長選択手段に送出する監視制御手段を備えた点に第１の特徴がある。
【０００８】
また、本発明は、前記モニタ手段が、光信号の伝送速度に応じて異なる複数のモニタモジュールを有し、前記モニタ波長選択手段が選択した光信号を前記複数のモニタモジュールの全てにブロードキャストする光カプラをさらに備え、前記監視制御手段は、前記モニタ波長選択手段が選択した光信号の伝送速度に対応するモニタモジュールだけを機能させる点に第２の特徴がある。
【０００９】
また、本発明は、前記監視制御手段が、周期的にあるいはユーザ操作に基づいて、モニタ対象の１波長を指示するコマンドを前記波長選択手段に送出する点に第３の特徴がある。
【００１０】
さらに、本発明は、前記監視制御手段が、全光ネットワークで障害が検知されたときに、障害となった波長をモニタ対象の１波長として指示するコマンドを前記波長選択手段に送出する点に第４の特徴がある。
【発明の効果】
【００１１】
本発明の第１および第２の特徴によれば、まず、モニタ対象の１波長の光信号を選択し、次に、選択した光信号をモニタするので、モニタ手段は、光信号の伝送速度についてモニタできるものであればよく、各波長ごとにモニタ手段を設ける必要がなく、全光ネットワークの品質を経済的にモニタできる。
【００１２】
また、第３の特徴によれば、定常時でも全光ネットワークの品質を適宜モニタでき、第４の特徴によれば、全光ネットワークに障害が起こった時のその障害がどこで起こっているかの障害切り分けが可能になる。
【発明を実施するための最良の形態】
【００１３】
以下、図面を参照して本発明を説明する。図１は、本発明に係る全光ネットワーク品質監視装置の一実施形態を示すブロック図である。全光ネットワーク全体の品質監視や障害箇所切り分けを行う場合、このような品質監視装置を全光ネットワークの適宜の複数箇所に配置する。
【００１４】
図１の実施形態の品質監視装置1は、光カプラ2,3、モニタ波長選択スイッチ4、光カプラ5、品質モニタ装置6および監視制御装置7を備える。品質モニタ装置6は、複数のモニタモジュール6-1,6-2,6-3を備え、全光ネットワークNW-AまたはNW-Bの品質を選択的に監視するように構成されている。
【００１５】
光カプラ2,3は、全光ネットワークNW-A,NW-Bを伝送されているWDM光信号をタップする。光カプラ2は、全光ネットワークNW-Aを伝送されているWDM光信号をタップし、光カプラ2は、全光ネットワークNW-Bを伝送されているWDM光信号をタップする。これにより２つの全光ネットワークNW-A,NW-Bの品質を１つの品質監視装置1で選択的に監視可能にしている。もちろん、１つだけ、あるいは３つ以上の全光ネットワークの品質を品質監視装置1で監視するようにすることもできる。なお、光カプラ1,2がタップするWDM光信号は、数％程度でよいので、全光ネットワークを伝送されているWDM光信号が影響を受けることはない。
【００１６】
モニタ波長選択スイッチ4は、光カプラ2または3によりタップされたWDM光信号からモニタ対象とする任意の1波長の光信号を選択する。NW-A側をモニタ対象とするかNW-B側をモニタ対象とするか、どの波長の光信号をモニタ対象とするかは、監視制御装置7からのコマンドで指定される。
【００１７】
品質モニタ装置6は、ビットレートが異なる光信号が入力されてもビット同期して全光ネットワークの品質をモニタできるように、複数のモニタモジュール6-1,6-2,6-3を備える。例えば、モニタモジュール6-1は、10.7Gbps、11.1Gbps用であり、モニタモジュール6-2は、43Gbps用であり、モニタモジュール6-3は、低速(155Mbps〜2.5Gbps)用である。なお、10.7Gbps、43Gbps、155Mbps〜2.5Gbpsはそれぞれ、SDH/SONETのビットレート9.953Gbps、39.9Gbps、155Mbps〜2.48Gbpsに対応する。また、11.1Gbpsは10GbEに対応させて用意したものである。
【００１８】
光カプラ5は、モニタ波長選択スイッチ4で選択された光信号を、品質モニタ装置6を構成する複数のモニタモジュール6-1,6-2,6-3にブロードキャストする。
【００１９】
監視制御装置7は、モニタ波長選択スイッチ4でのモニタ対象全光ネットワークおよびモニタ対象波長の選択、品質モニタ装置6のモニタモジュール6-1,6-2,6-3の動作を制御する。監視制御装置7は、全光ネットワーク全体を集中的に管理制御するネットワーク管理制御装置でよい。
【００２０】
次に、図１の品質監視装置の動作を説明する。まず、定常時の動作を説明する。図２は、定常時における品質監視装置の動作を示すフローチャートである。
【００２１】
まず、監視制御装置7がモニタ対象全光ネットワークおよび波長を指定するコマンド、本実施形態では全光ネットワークNW-A,NW-Bのうちのどちらをモニタ対象とするか、どの波長についてモニタするかを指定するコマンドをモニタ波長選択スイッチ4へ送出する(S21)。定常時では、このコマンドを周期的に、あるいはネットワーク運用者の操作に従って適宜送出する。
【００２２】
モニタ波長選択スイッチ4は、受信したコマンドに従って全光ネットワークNW-A側あるいはNW-B側をモニタ対象全光ネットワークとし、該全光ネットワークのWDM光信号から、コマンドで指定された1波長の光信号を選択して光カプラ5に送出する(S22)。
【００２３】
光カプラ5は、モニタ波長選択スイッチ4から送出された光信号を、品質モニタ装置6を構成する全てのモニタモジュール6-1,6-2,6-3へブロードキャストする。
【００２４】
次に、監視制御装置7は、品質モニタ装置6のモニタモジュール6-1,6-2,6-3のうち、モニタ波長選択スイッチ4で選択された光信号をモニタできるモニタモジュールへ選択コマンドを送出する(S23)。この選択コマンドは、モニタ波長選択スイッチ4で選択された光信号をモニタできるモニタモジュールを選択的に、光信号のビットレート(伝送速度)に合わせて動作させるためのコマンドであり、例えば、モニタ波長選択スイッチ4で選択された光信号のビットレートが10.7Gbpsである場合、監視制御装置7は、モニタモジュール6-1にそれを10.7Gbpsで動作させる選択コマンドを送出する。モニタモジュール6-3は、選択コマンドに従って155Mbps〜2.5Gbpsの範囲内の所定ビットレートで動作可能である。
【００２５】
続いて、監視制御装置7は、品質モニタ装置6へ、モニタに使用するモニタモジュールの警報マスクを解除するための警報マスク解除コマンドを送出し、さらに、光信号に含まれる品質監視ビットの読み取りを指示する品質監視ビット読取コマンドを送出する(S24)。
【００２６】
品質モニタ装置6は、選択された光信号のビットレートに応じて使用するモニタモジュールのマスクを警報マスク解除コマンドにより解除する。マスクが解除されたモニタモジュールは、光信号に含まれる品質監視ビットを品質監視ビット読取コマンドに従って読み取り、監視制御装置7に通知する(S25)。なお、モニタモジュールは、警報マスク解除コマンドを受けなければマスクされており、マスクが解除されて初めて品質監視ビットや警報を通知できるようになる。したがって、警報マスク解除コマンドでマスク解除される以外のモニタモジュールは、光信号が入力されない状態と等しくても監視制御装置7に品質監視ビットや警報を通知することはない。
【００２７】
監視制御装置7は、品質モニタ装置6のモニタモジュールから品質監視ビットを受信すると、該品質監視ビットから全光ネットワーク品質へ換算する(S26)。
【００２８】
以上のように、ある波長の光信号を品質監視装置1で選択してモニタし、そのモニタ結果を監視制御装置7に通知するので、監視制御装置7では、各波長についての全光ネットワークの品質を監視できる。また、品質監視装置1のモニタ波長選択スイッチ4で波長を順次選択すれば、各波長に対する全光ネットワークの各品質を順次監視できる。
【００２９】
その後、監視制御装置7は、マスクが解除されたモニタモジュールを再びマスクするための警報マスク処理コマンドを品質モニタ装置6へ送出し(S27)、品質モニタ装置6は、マスクが解除されたモニタモジュールが品質監視ビットや警報を通知しないようにマスクする(S28)。
【００３０】
次に、図１の品質監視装置の障害時の動作を説明する。図３は、障害時における品質監視装置の動作を示すフローチャートである。
【００３１】
通信を行っているエンド−エンド(end-end)、つまりクライアント装置では光信号を電気信号に変換して処理を行っているので、全光ネットワークの障害を検知できる。例えば、全光ネットワークを利用して通信を行うクライアント装置にBER閾値を設定しておき、受信した光信号のBERがこのBER閾値を超えた場合にクライアント装置から障害アラーム(BER閾値超過アラーム)を送出させることができる。
【００３２】
監視制御装置7またはネットワーク管理装置(NMS)は、クライアント装置からの障害アラームを検知し(S30)、障害経路および障害の光信号の波長を指定するコマンドを品質監視装置1のモニタ波長選択スイッチ4へ送出する(S31)。
【００３３】
モニタ波長選択スイッチ4は、受信したコマンドに従って障害経路の全光ネットワークをモニタ対象全光ネットワークとし、該全光ネットワークのWDM光信号から、コマンドで指定された1波長の光信号を選択して光カプラ5に送出する(S32)。
【００３４】
光カプラ5は、モニタ波長選択スイッチ4から送出された光信号を、品質モニタ装置6を構成する全てのモニタモジュール6-1,6-2,6-3にブロードキャストする。
【００３５】
次に、監視制御装置7は、品質モニタ装置6のモニタモジュール6-1,6-2,6-3のうち、モニタ波長選択スイッチ4で選択された光信号をモニタできるモニタモジュールへ選択コマンドを送出する(S33)。
【００３６】
続いて、監視制御装置7は、品質モニタ装置6へ、モニタに使用するモニタモジュールのマスクを解除するための警報マスク解除コマンドを送出し、さらに、光信号に含まれている品質監視ビットの読み取りを指示する品質監視ビット読取コマンドを送出する(S34)。
【００３７】
品質モニタ装置6は、選択された光信号のビットレートに応じて使用するモニタモジュールのマスクを警報マスク解除コマンドにより解除する。マスクが解除されたモニタモジュールは、監視制御装置7に品質監視ビットを通知する(S35)。
【００３８】
監視制御装置7は、品質モニタ装置6のモニタモジュールから品質監視ビットを受けると、全光ネットワーク中の各品質監視装置1からの品質監視ビットおよび各品質監視装置1の配置関係から全光ネットーワークでの障害発生箇所を特定する(S36)。
【００３９】
その後、監視制御装置7は、マスクが解除されたモニタモジュールを再びマスクするための警報マスク処理コマンドを品質モニタ装置6へ送出し(S37)、品質モニタ装置6は、マスクが解除されたモニタモジュールが警報を通知しないようにマスクする(S38)。
【００４０】
図４は、ITU-TG.709規定のOTNベースの信号フレーム構造を示す。OTNベースでは、通常時ではFEC(forward error correction)の誤り訂正ビット数(EC)をカウントし、それをBER(Bit error rate:1秒当たりの誤り率)に換算することで全光ネットワークの品質を監視できる。BERへの換算は、モニタ開始時から終了時までの時間でその間の誤り訂正ビット数を除算することで行うことができる。また、障害時ではOTU(optical channel transport unit)またはODU(optical channel data unit)レイヤのBIP8の値を読み取ることで全光ネットワークの障害を監視できる。したがって、OTNベースの場合、FECを図２のS24での品質監視ビットとして利用でき、BIP8を図３のS35での品質監視ビットとして利用できる。全光ネットワークの障害は、品質モニタ装置6内でBERが事前に設定したBER閾値を超えたことを判定して品質劣化警報を生成し、該品質劣化警報を監視制御装置7に送信したり、あるいはFECを監視制御装置7に送信し、監視制御装置7内でそれを元に品質劣化警報を生成したりすることによっても監視できる。
【００４１】
次に、全光ネットワークにおける障害箇所切り分けについて説明する。全光ネットワークの品質監視は、種々の箇所で行うことができ、これにより光のレベルでは困難であった障害箇所あるいは品質劣化箇所の特定が可能になる。
【００４２】
図５は、障害箇所の特定を概念的に示す図である。光信号のある波長についてのパス(波長パス)がROADM51〜54,55〜58を通って双方向に設定され、各ROADMに品質監視装置を配置して品質監視を行っている場合、図示するようにROADM51,52間で障害が発生したとすると、障害箇所の上流側のROADM51は障害を通知しないが、その下流側の全てのRAODM53,54が障害を検知して監視制御装置に障害を通知する。監視制御装置では、この通知に基づいて障害箇所がROADM51,52間であることを特定できる。なお、波長パスの途中に3R(reshaping(波形整形), retiming(タイミング抽出), regenerating(識別再生))機能を有するノードが設けられている場合には、その下流側のROADMは障害を通知しない。
【００４３】
図６は、全光ネットワークNW-C,NW-D間の障害切り分けを可能とするために、全光ネットワークNW-C,NW-Dの接続部分、全光ネットワークNW-Cとクライアント装置64の接続部分および全光ネットワークNW-Dとクライアント装置65の接続部分にそれぞれ品質監視装置61,62,63を配置した例である。例えば、全光ネットワークNW-C側のクライアント装置64と全光ネットワークNW-D側のクライアント装置65の間に波長パスが設定されている状態でクライアント装置64,65からの障害アラームを検知した場合、障害が全光ネットワークNW-C側で発生したか全光ネットワークNW-D側で発生したかを特定できる。
【００４４】
図７は、光スイッチングノード75〜78を接続して構成された全光ネットワーク内の各リンクの障害切り分けを可能とするために、全光ネットワークを構成する各リンクに品質監視装置70〜74を配備した例である。例えば、光スイッチングノード75に接続されたクライアント装置79と光スイッチングノード78に接続されたクライアント装置80の間に波長パスが設定されている状態でクライアント装置79,80からの障害アラームを検知した場合、障害がどのリンクで生じたかを特定できる。
【００４５】
全光ネットワークを構成する構成要素としてはROADM、WXC、PXCなどが存在する。これらにより構成された全光ヘットワークでは適宜の部分に品質監視装置を配置することにより障害の切り分けが可能となる。図８は、WXC81およびROADM82のポート部分に品質監視装置(□で図示)を配置した例であり、図９は、PXC91とMUX(波長多重)/DEMUX(波長分離)光フィルタ92〜94を備えるノードの各方路部分に品質監視装置(□で図示)を配置した例である。上記例に限らず、品質監視装置は、障害を切り分けるために適宜の箇所に配置することができる。
【図面の簡単な説明】
【００４６】
【図１】本発明に係る全光ネットワークの品質監視装置の一実施形態を示すブロック図である。
【図２】定常時における品質監視装置の動作を示すフローチャートである。
【図３】障害時における品質監視装置の動作を示すフローチャートである。
【図４】ITU-TG.709規定のOTNベースの信号フレーム構造を示す図である。
【図５】障害箇所の特定を概念的に示す図である。
【図６】全光ネットワーク間の障害切り分けを可能とする品質監視装置の配置例を示す図である。
【図７】全光ネットワーク内の各リンクの障害切り分けを可能とする品質監視装置の配置例を示す図である。
【図８】WXCおよびROADMのポート部分に品質監視装置を配置した例を示す図である。
【図９】PXCの各方路部分に品質監視装置を配置した例を示す図である。
【符号の説明】
【００４７】
1,61〜63,70〜74・・・品質監視装置、2,3,5・・・光カプラ、4・・・モニタ波長選択スイッチ、6・・・品質モニタ装置、6-1,6-2,6-3・・・モニタモジュール、7・・・監視制御装置、51〜58,82〜85・・・ROADM、64,65,79,80・・・クライアント装置、75〜78・・・光スイッチノード、81・・・WXC、91・・・PXC、92〜94・・・MUX/DEMUX光フィルタ
【図１】
2008166935.tif 000003
【図２】
2008166935.tif 000004
【図３】
2008166935.tif 000005
【図４】
2008166935.tif 000006
【図５】
2008166935.tif 000007
【図６】
2008166935.tif 000008
【図７】
2008166935.tif 000009
【図８】
2008166935.tif 000010
【図９】
2008166935.tif 000011